【事件の表示】
　特願２００３−　６６０２５「チャンバ温度制御装置及びチャンバ温度制御方法」拒絶査定不服審判事件〔平成１６年　９月３０日出願公開、特開２００４−２７３９６７〕について、次のとおり審決する。
【結　論】
　本件審判の請求は、成り立たない。
【理　由】
１．手続の経緯・本願発明
　本願は、平成１５年　３月１２日の出願であって、本願の請求項１〜６のうち、その請求項１に係る発明（以下、「本願発明」という。）は、請求項１，４に「≧」を挿入するという誤記の訂正を目的とする平成１９年１０月１０日付手続補正書によって補正された特許請求の範囲の請求項１に記載された事項により特定される次のとおりのものである。
　
「【請求項１】
　チャンバと、
　このチャンバ内における特定部位を冷却／加熱するための冷却手段及び加熱するための加熱手段と、
　前記チャンバ内に乾燥空気を供給する乾燥空気供給手段と、
　前記特定部位の温度を計測する温度計測手段と、
　前記チャンバ内の露点を計測する露点計測手段と、
　前記温度計測手段及び露点計測手段からの計測値を用いて前記冷却手段、加熱手段、及び乾燥空気供給手段を制御するための制御手段とを備え、
　前記制御手段は、
前記乾燥空気が供給されている状態で前記チャンバの冷却制御を開始し、
前記特定部位があらかじめ設定される温度目標値に到達するまでは、
　特定部位温度設定値≧（露点温度計測値＋あらかじめ設定される結露防止温度余裕値）
で規定される不等式を満足するように前記特定部位温度設定値を変化させながら冷却制御を行うことにより、前記特定部位温度設定値を前記温度目標値に近付けることを特徴とするチャンバ温度制御装置。」
　　
　　
２．引用刊行物及びその記載事項
　原審の拒絶の理由に引用した本願出願前に国内において頒布された下記の刊行物１〜３には、次の事項が記載されている。
　
　刊行物１：特開２０００−２９４６０６号公報
　　　　　（平成１８年１０月１６日付け拒絶理由通知書の引用文献２）
　刊行物２：特開２００２−２３１７７７号公報
　　　　　（平成１８年１０月１６日付け拒絶理由通知書の引用文献１）
　刊行物３：特開平９−２９８２２５号公報
　　　　　（平成１８年１０月１６日付け拒絶理由通知書の引用文献３）
　　
＜刊行物１の記載事項＞
（刊１ａ）「【０００３】ウエハプローバを用いて、低温下でのウエハの検査を行う場合に、もしも、電気的測定中にウエハに結露が発生すると、半導体回路中においてリークが発生したり、半導体チップの破壊が生じたりする可能性が高くなるので、ウエハ及びウエハを保持するためのウエハチャック等における、結露を確実に防止しなければならない。」
（刊１ｂ）「【００２０】【作用】この発明の構成では、ウエハプローバの測定部内に設けられたウエハチャックに半導体ウエハを保持し、測定部内に乾燥空気を供給するとともに、ウエハチャックを冷却して、低温下において半導体ウエハの電気的測定を行う半導体ウエハの検査装置において、・・・測定部内の露点を測定する露点測定手段とを設け、・・・測定部内に乾燥空気を供給するとともに、ウエハチャックの冷却を開始し、測定部内が所定の露点に到達し、ウエハチャックが所定の温度に到達したとき、・・・チップの電気的測定を行うようになっている。」
【００２１】・・・測定部の露点低下と、ウエハチャックの冷却とを同時に行えるので、セットアップ時間を短縮できる・・・」
（刊１ｃ）「【００２３】【発明の実施の形態】・・・◇第１実施例　図１は、この発明の第１実施例である半導体ウエハの検査装置の構成を示す図、図２は、同実施例における検査シーケンスを示す図（１）、・・・この例の半導体ウエハの検査装置は、図１に示すように、ウエハプローバ１と、冷却／加熱部２と、乾燥空気供給部３と、露点監視部４とから概略構成されている。
【００２４】ウエハプローバ１は、測定部１１と、制御部１２と、・・・からなっている。測定部１１は、ウエハを保持するためのウエハチャック１１１を有し、その上に被検査ウエハ１１２が装着される。ウエハチャック１１１には、その部分の温度を測定するための温度センサ１１３が設けられている。また、測定部１１内の露点を測定するための露点センサ１１４が設けられている。さらに、測定部１１内への乾燥空気の供給流量を調節するための流量制御バルブ１１５が設けられている・・・
【００２５】冷却／加熱部２は、冷却／加熱ユニット２１と、制御部２２とからなっている。加熱／冷却ユニット２１は、所要の低温又は高温になった冷却液を、冷却液配管２３を介してウエハチャック１１１の部分に供給する。制御部２２は、温度センサケーブル５２を介してとり込んだ温度センサ１１３の温度情報に応じて、加熱／冷却ユニット２１の冷却／加熱の動作を制御する。・・・
【００２６】・・・乾燥空気供給ユニット３１は、・・・乾燥空気を・・・測定部１１内に供給する。制御部３２は、乾燥空気供給ユニット３１における乾燥空気の生成と供給を制御する。また、制御部３２は、制御ケーブル６２を介して、冷却／加熱部２の制御部２２との間で、制御情報の授受を行う。
【００２７】露点監視部４は、露点監視装置４１と、制御部４２とからなっている。露点監視装置４１は、例えば半導体露点センサ等からなる露点センサ１１４の露点情報に応じて、冷却／加熱部２に対する冷却又は加熱の制御を行う。この際、制御部４２は、露点センサケーブル５１を介して露点センサ１１４の露点情報をとり込み、制御ケーブル６３を介して、冷却／加熱部２の制御部２２との間で、露点センサ１１４の露点情報に基づく、制御情報の授受を行う。」
（刊１ｄ）「【００３１】・・・最初、乾燥空気の供給を開始する。高温から低温にする場合には、乾燥空気の供給流量を最大にして、最短時間で測定部１１を所定の露点状態にする（ステップＱ１）。次に、シャッター１１６を開き、ファン１１７の動作を開始するとともに（ステップＱ２）、ウエハチャック１１１の冷却を開始する（ステップＱ３）。この際、冷却は、測定部１１内の露点変化に追従して、ウエハチャック１１１に結露を生じない温度で行う。測定部１１内が所定の露点に到達し（ステップＱ４）、ウエハチャック１１１が所定の温度に到達したとき（ステップＱ５）、ファン１１７を停止し、シャッター１１６を閉じる（ステップＱ６）。この状態で、測定部１１の露点変化に追従して、測定部１１への乾燥空気の供給流量を制御しながら（ステップＱ７）、ローダー部１３からウエハチャック１１１にウエハ１１２をロードして（ステップＱ８）、ウエハ１１２の半導体チップの電気的測定を行う（ステップＱ９）。」
（刊１ｅ）「【００２９】・・・測定中になんらかの原因によって露点が上昇したときは、露点監視装置４１がこれを検出することによって、自動的に測定を停止して、ウエハチャック１１１の温度を変化させる（この場合は、結露を防ぐため温度を上昇させる）。」
　
＜刊行物２の記載事項＞
（刊２ａ）「【０００８】本発明は、・・・低温環境下の半導体ウェーハに対する高精度で安定性及び信頼性の高い検査を行うことができる半導体ウェーハ用検査装置の提供を目的とする。」
（刊２ｂ）「【００２４】これにより、制御部本体９ｃは、温度センサ１９ｃから検出される温度検出値と予め設定した温度設定値に基づき、ウェーハトレイ５（半導体ウェーハＷ）に対する温度が予め設定した冷却温度Ｔｃとなるように、サーモモジュール６…を制御することができる。この場合、冷却温度Ｔｃは−１０〔℃〕に設定することができる。また、制御部本体９ｃは、露点センサ９ｄから検出される露点の検出結果（露点検出値）に基づいて流量制御弁１５を制御し、試験槽２ｅの槽内露点Ｔｏが冷却温度Ｔｃ（−１０〔℃〕）未満となるようにフィードバック制御することができる。・・・」
（刊２ｃ）「【００３２】・・・半導体ウェーハＷのみを必要な検査温度（冷却温度Ｔｃ）に維持できるとともに、カセットＣ（半導体ウェーハＷ）や冷却器３等における結露を防止できるため、半導体ウェーハＷに対する高精度で安定性及び信頼性の高い検査が実現可能となる。・・・」　
　
＜刊行物３の記載事項＞
（刊３ａ）「【００２４】仮に低露点の空気に変動が生じて低露点の空気の露点が上昇した場合には露点監視装置２３が以下のように自動的に作動し、メインチャック９での結露、着霜を未然に防止する。即ち、例えば装置本体１４内の露点（特に、メインチャック９近傍の露点）がメインチャック９の設定温度である−１０℃より低く設定された基準露点（例えば−２０℃）よりも高い露点（例えば、−１９℃）になると、露点制御装置２５は露点センサ２４及び温度センサ２１の検出信号Ｓ1、Ｓ2の比較結果に基づいてチャック温度制御装置２２へ温度制御信号Ｓ4を送信し、メインチャック９内のペルチエ素子２０を作動させてチャックトップ９Ａを例えば４０℃まで一気に加熱すると共に、開度制御信号Ｓ3を流量調整弁１８へ送信し、流量調整弁１８を若干大きく開いて冷却空気の流量を増やし、メインチャック９での結露、着霜を防止する。その後、露点センサ２４の検出温度が基準露点−２０℃よりも低い温度、例えば−２２℃まで戻ると、露点制御装置２５は検出信号Ｓ1、Ｓ2の比較結果に基づいてチャック温度制御装置２２を作動させ、ペルチエ素子２０によりチャックトップ９Ａを−１０℃まで一気に冷却すると共に冷却装置１９によりにメインチャック９の裏面側を冷却する。」
　
　
３．当審の判断
（１）刊行物１に記載の発明
　ア）刊行物１の上記記載事項（刊１ｂ）には、「測定部内に乾燥空気を供給するとともに、ウエハチャックの冷却を開始し、測定部内が所定の露点に到達し、ウエハチャックが所定の温度に到達したときに、チップの電気的測定を行う」、「測定部の露点低下と、ウエハチャックの冷却とを同時に行えるので、セットアップ時間を短縮できる」ことが記載されており、また、その具体的な手順として上記記載事項（刊１ｄ）には、下記のステップが記載されている。
　
＊最初、乾燥空気の供給を開始する。高温から低温にする場合には、乾燥空気の供給流量を最大にして、最短時間で測定部１１を所定の露点状態にする（ステップＱ１）。
＊次に、シャッター１１６を開き、ファン１１７の動作を開始するとともに（ステップＱ２）、
＊ウエハチャック１１１の冷却を開始する（ステップＱ３）。
　この際、冷却は、測定部１１内の露点変化に追従して、ウエハチャック１１１に結露を生じない温度で行う。
＊測定部１１内が所定の露点に到達し（ステップＱ４）、
＊ウエハチャック１１１が所定の温度に到達したとき（ステップＱ５）、
＊ファン１１７を停止し、シャッター１１６を閉じる（ステップＱ６）。
＊この状態で、測定部１１の露点変化に追従して、測定部１１への乾燥空気の供給流量を制御しながら（ステップＱ７）
＊ローダー部１３からウエハチャック１１１にウエハ１１２をロードして（ステップＱ８）、
＊ウエハ１１２の半導体チップの電気的測定を行う（ステップＱ９）。
　
　ここで、上記のステップＱ１〜Ｑ６は、所定の温度まで冷却を行う冷却工程となるが、当該冷却工程を整理すると、ステップＱ１として乾燥空気の供給を開始して、次にステップＱ３としてウエハチャック１１１の冷却を開始していること、その際、測定部１１内の露点変化に追従して、ウエハチャック１１１に結露を生じない温度で冷却を行いながら、所定の露点及び所定の温度に到達させることが記載されているといえる。
　
　上記摘記事項ア）を踏まえ、上記記載事項（刊１ａ）〜（刊１ｄ）を整理すると刊行物１には、
「ウエハプローバの測定部と、
　この測定部内におけるウエハチャックに所要の低温又は高温になった冷却液を供給する冷却／加熱部の冷却／加熱ユニットと、
　前記測定部内に乾燥空気を供給する乾燥空気供給ユニットと、
　前記ウエハチャックの温度を測定するための温度センサと、
　前記測定部内の露点を測定するための露点センサと、
　温度センサの温度情報に応じて、加熱／冷却ユニットを制御する制御部２２、制御部２２との間で制御情報の授受を行い、乾燥空気供給ユニットを制御する制御部３２、及び露点センサの露点情報に応じて、冷却／加熱部に対する冷却又は加熱の制御を行う露点監視装置と、制御部２２との間で、露点センサの露点情報に基づく、制御情報の授受を行う制御部４２とからなる露点監視部とを備え、
　前記制御部２２，制御部３２，露点監視部は、乾燥空気の供給を開始し、その後、ウエハチャックの冷却を開始し、
前記ウエハチャックが所定の温度に到達するまで、
　測定部内の露点変化に追従して、ウエハチャックに結露を生じない温度で冷却を行うことを特徴とする装置」
に関する発明（以下、「刊行物発明」という。）が記載されているものである。
　　
（２）対比・判断
　そこで、本願発明と刊行物発明とを対比すると、刊行物発明の「測定部」、「ウエハチャック」、「乾燥空気供給ユニット」、「測定」、「温度センサ」、「露点センサ」、「所定の温度」は、本願発明の「チャンバ」、「特定部位」、「乾燥空気供給手段」、「計測」、「温度計測手段」、「露点計測手段」、「あらかじめ設定される温度目標値」に相当する。
　また、
イ）刊行物発明の「ウエハチャックに所要の低温又は高温になった冷却液を供給する冷却／加熱部の冷却／加熱ユニット」は、本願発明の「特定部位を冷却／加熱するための冷却手段」に相当する。
ロ）刊行物発明の「温度センサの温度情報に応じて、加熱／冷却ユニットを制御する制御部２２、制御部２２との間で制御情報の授受を行い、乾燥空気供給ユニットを制御する制御部３２、及び露点センサの露点情報に応じて、冷却／加熱部に対する冷却又は加熱の制御を行う露点監視装置と、制御部２２との間で、露点センサの露点情報に基づく、制御情報の授受を行う制御部４２とからなる露点監視部」は、制御部２２を中心として、制御部２２と制御部３２との間，及び制御部２２と露点監視部との間でそれぞれ制御情報を授受しているので、制御部２２、制御部３２及び露点監視部は、それぞれ独立した個別の制御を行っているというより、それぞれが関連づけられた一体化した制御手段とみなせるから、本願発明の「温度計測手段及び露点計測手段からの計測値を用いて前記冷却手段、加熱手段、及び乾燥空気供給手段を制御するための制御手段」に相当する。
ハ）刊行物発明において、乾燥空気の供給を開始した後に、冷却を開始するまでの間に、乾燥空気の供給を止めることは記載されておらず、また、ウエハチャックの冷却を開始することは、測定部の冷却制御でもあるので、刊行物発明の「乾燥空気の供給を開始し、その後、ウエハチャックの冷却を開始し」は、本願発明の「乾燥空気が供給されている状態で前記チャンバの冷却制御を開始し」に相当する。
ニ）刊行物発明の「装置」は、ウエハプローバの測定部内の温度制御を行っているものであるから、本願発明の「チャンバ温度制御装置」に相当する。　
　そうすると、両者は、
「チャンバと、
　このチャンバ内における特定部位を冷却／加熱するための冷却手段と、
　前記チャンバ内に乾燥空気を供給する乾燥空気供給手段と、
　前記特定部位の温度を計測する温度計測手段と、
　前記チャンバ内の露点を計測する露点計測手段と、
　前記温度計測手段及び露点計測手段からの計測値を用いて前記冷却手段及び乾燥空気供給手段を制御するための制御手段とを備え、
　前記制御手段は、
前記乾燥空気が供給されている状態で前記チャンバの冷却制御を開始し、
前記特定部位があらかじめ設定される温度目標値に到達するまでは、
　冷却制御を行うことにより、前記特定部位の温度を前記温度目標値に近付けることを特徴とするチャンバ温度制御装置。」
の点で一致し、下記の点で相違する。
　
　相違点１：冷却及び加熱する手段として、本願発明では、「冷却／加熱するための冷却手段及び加熱するための加熱手段」の２つの手段を有し、制御手段によりその両者が制御されているのに対して、刊行物発明では、その点が不明である点。
　相違点２：特定部位があらかじめ設定される温度目標値に到達するまでの冷却制御として、本願発明では、「特定部位温度設定値≧（露点温度計測値＋あらかじめ設定される結露防止温度余裕値）で規定される不等式を満足するように前記特定部位温度設定値を変化させながら冷却制御を行うことにより、前記特定部位温度設定値を前記温度目標値に近付け」ているのに対して、刊行物発明では、「測定部内の露点変化に追従して、ウエハチャックに結露を生じない温度で冷却を行う」点。
　
　次に、上記相違点１、２について検討する。
　　
＜相違点１について＞
　ウエハプローバにおいて、ウエハチャックの温度制御を行うために冷却手段と電気ヒータ等の加熱手段との２つの手段を設けることは下記の周知文献１，２に記載されているように周知の事項にすぎず、ウエハチャックの温度制御を行う刊行物発明においても、加熱専用の手段を別途設けることは、当業者の実施化における設計的事項である。
　
＊周知文献の記載事項＊
　周知文献１：特開平１１−２６５２４号公報
　「【００２７】・・・メインチャック１２内には冷媒の通路１２Ａが形成され・・・所定の低温まで冷却する・・・また、メインチャック１２内には例えば面ヒータ１２Ｄが内蔵され・・・所定の高温まで加熱する・・」
　周知文献２：特開平１０−１３５３１５号公報
　「【０００３】・・・試料載置台１には冷却ジャケット２及びヒータ３が組み込まれ、・・・試料載置台１の温度を検出し、・・・冷却ジャケット２、ヒータ３を制御して試料載置台１を種々の温度に設定する・・・」
　
　なお、本願発明においては、「温度計測手段及び露点計測手段からの計測値を用いて前記冷却手段、加熱手段、及び乾燥空気供給手段を制御する」ことが特定されているものの、冷却手段における加熱、及び加熱手段による加熱が、温度計測手段及び露点計測手段からの計測値をどの様に用いてどの様に制御されるのか具体的な特定がなされていないところ、刊行物発明の、温度センサの情報により制御される冷却／加熱ユニットは、所要の低温又は高温になった冷却液を供給するものであり、さらに、温度情報及び露点情報に基づいて冷却または加熱の制御を行うことが刊行物１の記載事項（刊１ｃ）（「【００２５】・・・温度センサ１１３の温度情報に応じて、・・・冷却／加熱の動作を制御する。」、「【００２７】・・・露点センサ１１４の露点情報に応じて、・・・冷却又は加熱の制御を行う。」）に記載されており、また、トラブル時に、結露を生じさせないために、露点情報に基づき温度を上昇させることが、刊行物１の記載事項（刊１ｅ）（「【００２９】・・・露点が上昇したときは、露点監視装置４１がこれを検出することによって、・・・ウエハチャック１１１の温度を変化させる（この場合は、結露を防ぐため温度を上昇させる）。」）に記載されていることから、上記のように加熱専用手段を設けた際には、温度センサ及び露点センサの情報により制御される事は明らかであり、格別な点は見出せない。
　
　
＜相違点２について＞
　刊行物発明では、乾燥空気の供給を開始した後に、冷却を開始するまでの間に、乾燥空気の供給を止めてはいないので、「乾燥空気が供給されている状態で前記チャンバの冷却制御を開始し」ており、少なくとも「ウエハチャックが所定の温度に到達するまで」は、当該冷却制御が行われている。
　そして、この所定の温度に達するまでの期間においては、乾燥空気が供給され続けていることから、露点温度が減少している、即ち、露点温度が変化していることも明らかである。
　（ここで、刊行物１においては、「露点」という文言を用いているが、「露点」は、「露点温度」と同義なので、刊行物１からの引用箇所を除いて以下、「露点温度」と記載する。）
　さらに、刊行物１には、ステップＱ３において、ステップＱ５の所定の温度に達するまで「測定部１１内の露点変化に追従して、ウエハチャック１１１に結露を生じない温度で冷却を行」うことが記載されている。
　ここで、「露点変化に追従して」ということは、露点温度が減少しつつ変化するので、冷却制御すべき目標温度を一定値とはせずに、変化する露点温度に応じて変化させることである。
　したがって、「測定部１１内の露点変化に追従して、ウエハチャック１１１に結露を生じない温度で冷却を行」うことは、測定部内の露点変化に追従して、ウエハチャックの冷却目標温度を変化させながら冷却し、その際にウエハチャックの温度を結露が生じない温度で冷却制御し続けることを意味していることは明らかである。
　
　ところで、一般的なフィードバックによる制御においては、測定系統に測定誤差があること、及び制御対象物の温度等の測定値に基づいて、冷却手段等へフィードバックを行う場合には、フィードバックを行った結果として現れる制御対象物の温度等の測定値の変化に、遅れが生じることが、通常であり、このため、目標値を超えたくない場合には、目標値とフィードバックを行わせる温度とを同一にせず、安全係数等を設定することが一般的である。
　また、冷却対象物の温度が露点温度になれば、結露を生じる可能性が極めて高くなることは技術常識である。
　そして、 刊行物１の記載事項（刊１ａ）及び刊行物２の記載事項（刊２ｃ）に記載されているように、半導体ウエハーの低温での試験においては、結露を確実に防止し、安全性、信頼性の高い検査が要望されていることが、周知の事項であることに鑑みれば、上記刊行物１のステップＱ３の「測定部１１内の露点変化に追従して、ウエハチャック１１１に結露を生じない温度で冷却を行」うに際して、露点温度と同じ温度にならないように、減少しつつ変化する露点温度よりも「高い温度」を常にフィードバックを行う温度として設定して、冷却制御を行うこと、即ち、
　フィードバック設定温度≧「測定される露点温度」＋α（「高い温度」）
として、安全性、信頼性を確保し、結露を確実に防止するための制御を行うことは、刊行物発明の実施化に際して当然考慮される事項か、少なくとも容易に設定しうる事項である。
　
　なお、半導体ウエハの試験装置の温度制御において、目標値と測定値とを同一にせず、同一になる前にフィードバックを行ったり、安全係数を設定することもよく知られており、例えば、測定中の定常状態での監視ではあるが、刊行物２では、試験槽２ｅの槽内露点Ｔｏが冷却温度Ｔｃ「未満」、即ちＴｃがＴｏにならないように、冷却温度Ｔｃ＞槽内露点Ｔｏを目標に制御しており、また、刊行物３の記載事項（刊３ａ）に記載されているように、メインチャックに結露を生じさせないために、メインチャックの温度よりも、１０℃低い露点温度をフィードバックを行う値としてより安全側で制御している。
　
　したがって、刊行物発明における上記「露点変化に追従して、ウエハチャックに結露を生じない温度で行う」制御を、具体的な実施化に際して、安全性及び信頼性を確保するために、測定された露点よりも高い温度、即ち、
　特定部位温度設定値≧（露点温度計測値＋α）
　　　α：あらかじめ設定される所定値（本願の「結露防止温度余裕値」）
を制御目標として、追従を行わせることは、当然考慮されるものであり、当業者ならば容易に想到し得たものである。
　
　なお、審判請求人は、平成２１年４月１５日付審尋に対する平成２１年６月１７日付回答書において、
　「確かに、ウエハチャックに結露を生じないように冷却を行なうためには、上記の条件（１）が必要であると言えます。しかし、「ウエハチャックの温度＞露点」という条件（１）が成り立つように制御していることが、即、ウエハチャックの温度の設定値と露点の差が一定以上（すなわち、温度余裕値以上）であることを意味するかどうかは別であると考えます。」
　
と主張しているが、「ウエハチャックの温度＞露点」という条件自体は、ウエハチャックの温度が露点になる前に、冷却を止める等の冷却制御を行うということであるから、上記の検討のように、わずかであっても露点よりも高い温度においてフィードバックを行うことに他ならず、露点よりも高い温度は、即ち「露点＋α」であり、露点に例えわずかであっても、何らかの余裕値を加えた値である。
　
　さらに、上記回答書には、続けて
　「ちなみに、本願発明では、「結露防止温度余裕値」は、どのような値でも良いというわけではなく、例えば結露防止温度余裕値Ｔ１＞露天エラー余裕値Ｔ３というような設定がなされた場合（段落［００２７］参照）には、露天エラー余裕値Ｔ３をも考慮して決める必要があります。」
　
とも主張しているが、本願の請求項１に係る発明においては、エラー時に関する規定は何らされておらず、また、他に「結露防止温度余裕値」を設定するための具体的な設定方法及びその設定方法により設定された事による冷却制御に対する具体的な効果の何れも見出せないから、上記の検討のように「結露防止温度余裕値」を設けることは、単に一般的な安全係数を加えたにすぎず、実施化に際して考慮されるべき設計事項の範囲を超えないものである。
　
　よって、本願発明は、上記刊行物１〜３に記載された発明及び周知文献１，２に記載された周知技術に基づいて当業者が容易に発明をすることができたものであるから、特許法第２９条第２項の規定により特許を受けることができない。
　
　　
４．むすび
　以上のとおり、本願の請求項１に係る発明は、特許法第２９条第２項の規定により特許を受けることができないものであるから、本願の請求項２、請求項３に係る発明については検討するまでもなく、本願は拒絶すべきものである。
　　
　よって、結論のとおり審決する。